(57)【要約】【課題】記録された信号からウォブル信号への漏れ込みを抑え、ウォブル信号の正確な読み出しを可能とする光ディスク、光ディスク評価方法、および光ディスク評価装置を提供する。【解決手段】光ディスクでの結晶状態、アモルファス状態それぞれの記録層からの反射光の位相差の絶対値を１５度以下とする。結晶状態、アモルファス状態からの反射光の位相差が大きくなると、ラジアルプッシュップル信号のＳ／Ｎ比が低下する原因となる。このため、位相差の範囲を制限して、ウォブル信号に対するデータ信号の混入を低減する。【選択図】図１８
2005166114.tif 000002
【特許請求の範囲】
【請求項１】
光照射による加熱により結晶からアモルファスへと相転移する光学材料からなる記録層を有するランドとグルーブとを含み、このランドとグルーブの境界の位置が所定の空間周期で振動する光ディスクであって、
結晶状態、アモルファス状態それぞれの記録層からの反射光の位相差の絶対値が１５度以下である
ことを特徴とする光ディスク。
【請求項２】
光照射による加熱により結晶からアモルファスへと相転移する光学材料からなる記録層を有するランドとグルーブとを含み、かつこのランドとグルーブの境界の位置が所定の空間周期で振動する光ディスクであって、
ランドへの情報の記録前後でのランドからの反射光の前記振動成分の差（Ｃｗ１Ｌ−Ｃｗ０Ｌ）と、グルーブへの情報の記録前後でのグルーブからの反射光の前記振動成分の差（Ｃｗ１Ｇ−Ｃｗ０Ｇ）の相違の絶対値｜（Ｃｗ１Ｌ−Ｃｗ０Ｌ）−（Ｃｗ１Ｇ−Ｃｗ０Ｇ）｜が１．５ｄＢ以下である
ことを特徴とする光ディスク。
【請求項３】
光照射による加熱により結晶からアモルファスへと相転移する光学材料からなる記録層を有するランドとグルーブとを含み、かつこのランドとグルーブの境界の位置が所定の空間周期で振動する光ディスクの評価方法であって、
情報記録前の回転する光ディスクのランドに光を照射して、ランドからの反射光の前記振動成分Ｃｗ０Ｌを測定する第１の測定ステップと、
前記情報記録前の回転する光ディスクのグルーブに光を照射して、グルーブからの反射光の前記振動成分Ｃｗ０Ｇを測定する第２の測定ステップと、
前記光ディスクに情報を記録するステップと、
情報記録後の回転する光ディスクのランドに光を照射して、ランドからの反射光の前記振動成分Ｃｗ１Ｌを測定する第３の測定ステップと、
前記情報記録後の回転する光ディスクのグルーブに光を照射して、グルーブからの反射光の前記振動成分Ｃｗ１Ｇを測定する第４の測定ステップと、
情報の記録前後での前記ランドからの反射光の振動成分の差（Ｃｗ１Ｌ−Ｃｗ０Ｌ）と、情報の記録前後での前記グルーブからの反射光の振動成分の差（Ｃｗ１Ｇ−Ｃｗ０Ｇ）の相違（（Ｃｗ１Ｌ−Ｃｗ０Ｌ）−（Ｃｗ１Ｇ−Ｃｗ０Ｇ））を算出するステップと、
を具備することを特徴とする光ディスク評価方法。
【請求項４】
前記第１〜第４の測定ステップそれぞれが、光ディスクからの反射光に基づく信号を２逓倍する信号逓倍ステップを有する
ことを特徴とする請求項３記載の光ディスク評価方法。
【請求項５】
光照射による加熱により結晶からアモルファスへと相転移する光学材料からなる記録層を有するランドとグルーブとを含み、かつこのランドとグルーブの境界の位置が所定の空間周期で振動する光ディスクを評価する光ディスク評価装置であって、
前記光ディスクを回転させる回転機構と、
前記光ディスクに情報を記録する記録用光源と、
前記光ディスクを再生する再生用光源と、
前記再生用光源から出射される光をランド内、グルーブ内のトラックに沿って移動させる光移動手段と、
前記再生用光源から出射し前記光ディスクの記録層から反射された反射光を受光する受光素子と、
前記受光素子から出力される信号を周波数分析して前記振動の成分を抽出する振動成分抽出部と、
情報の記録前後での前記ランドからの反射光の振動成分の差（Ｃｗ１Ｌ−Ｃｗ０Ｌ）と、情報の記録前後での前記グルーブからの反射光の振動成分の差（Ｃｗ１Ｇ−Ｃｗ０Ｇ）の相違（（Ｃｗ１Ｌ−Ｃｗ０Ｌ）−（Ｃｗ１Ｇ−Ｃｗ０Ｇ））を算出する算出部と、
を具備することを特徴とする光ディスク評価装置。
【請求項６】
前記受光素子から出力される信号を２逓倍する信号逓倍部をさらに具備する
ことを特徴とする請求項５記載の光ディスク評価装置。
【発明の詳細な説明】
【技術分野】
【０００１】
本発明は、情報を記録・再生する光ディスク、光ディスク評価方法、および光ディスク評価装置に関する。
【背景技術】
【０００２】
情報の高密度記録（例えば、片面1層の記憶容量が4.7GB）が可能な光ディスク（例えば、再生専用の光ディスクであるDVD-ROM、書き換え可能な＋RW(ECMA-337)、DVD-RAM(ECMA-330)、DVD-RW(ECMA-338)）が実現されている。
これらの光ディスクでは、情報記録層が形成された透明基板上にレーザー光を集光することで、情報の記録再生を行う。情報の記録再生は、光ディスクの情報記録層に形成されたグルーブと呼ばれる案内溝に沿って行われる。
このとき、情報を記録再生する空間的な位置を特定するために物理アドレスが用いられる。+RWでは、グルーブを半径方向に小さく振動させるグルーブウォブルの変調(以下、「ウォブル変調」という)を利用して物理アドレスを判別する。即ち、ウォブルの位相を記録したい情報に対応させて変化させる。ウォブル変調では、光ディスクの記録トラックを遮断することがないため、光ディスク上にユーザー情報を記録する面積を広くとれる（すなわちフォーマット効率が高い）。また、ウォブル変調方式を採用することで、書き換え可能な＋RWと再生専用のDVD-ROMとの互換がとり易くなる。
このグルーブウォブルを光学的に再生したときのウォブル信号の品質の評価指標として、ウォブル信号のNarrow Band Signal to Noise ratio(NBSNR)がある。これは、ウォブル信号を搬送しているキャリアの振幅と、ノイズの振幅の比率を評価するもので、NBSNRが高いほどウォブル信号の復調率は高くなる。このNBSNRはCarrier to Noise Raitio(CNR)とも呼ばれる。
なお、光ディスクの記録マーク（非結晶）と非記録マーク（結晶）からの反射光の位相差を-π/3から+π/3に抑えることで、隣接トラックのデータとのクロストークを低減する技術が公開されている（特許文献１参照）。
【特許文献１】特開２００３−１３２５３５
【発明の開示】
【発明が解決しようとする課題】
【０００３】
物理アドレスの形成にウォブル変調を用いた光ディスクでは、変調されたグルーブ上に、ユーザーデータを含む信号を記録するのが通例である。この場合、記録された信号とウォブル信号が重なり合った状態になるため、ウォブル信号を再生する際に、記録信号がノイズとなって漏れ込み、ウォブル信号が正確に再生され難くなる。
特に、ランドとグルーブの両方のトラックに信号を記録する方式の光ディスクでは、ウォブル信号に対して、ランドとグルーブの両方から信号の漏れ込みが発生するため、ウォブル信号の低下が大きくなる。
本発明は上記の問題を解決するために、記録された信号からウォブル信号への漏れ込みを抑え、ウォブル信号の正確な読み出しを可能とする光ディスク、光ディスク評価方法、および光ディスク評価装置を提供することを目的とする。
【課題を解決するための手段】
【０００４】
Ａ．上記目的を達成するために、本発明に係る光ディスクは、光照射による加熱により結晶からアモルファスへと相転移する光学材料からなる記録層を有するランドとグルーブとを含み、かつこのランドとグルーブの境界の位置が所定の空間周期で振動する光ディスクであって、結晶状態、アモルファス状態それぞれの記録層からの反射光の位相差の絶対値が１５度以下であることを特徴とする。
【０００５】
光ピックアップ等によってランドとグルーブの境界の振動（ウォブル）を信号（例えば、ラジアルプッシュップル信号）等に変換して、物理アドレスを生成することができる。この電気信号の強度はランドとグルーブの段差の大きさによって変化する。
結晶状態、アモルファス状態はそれぞれ、記録層への情報の非記録箇所および記録箇所に対応し、ランドおよびグルーブに形成される。光ディスクに情報（データ）を記録すると、光ディスクの再生時にウォブル信号中にデータ信号が混入する。また、これらからの反射光の位相差が大きくなると、光学的にはランドとグルーブとの段差の大きさが変化したのと等価となり、ラジアルプッシュップル信号のＳ／Ｎ比が低下する原因となる。このため、位相差の範囲を-15から+15degとすることで、ウォブル信号に対するデータ信号の混入を低減する。
【０００６】
Ｂ．上記目的を達成するために、本発明に係る光ディスクは、光照射による加熱により結晶からアモルファスへと相転移する光学材料からなる記録層を有するランドとグルーブとを含み、かつこのランドとグルーブの境界の位置が所定の空間周期で振動する光ディスクであって、ランドへの情報の記録前後でのランドからの反射光の前記振動成分の差（Ｃｗ１Ｌ−Ｃｗ０Ｌ）と、グルーブへの情報の記録前後でのグルーブからの反射光の前記振動成分の差（Ｃｗ１Ｇ−Ｃｗ０Ｇ）の相違の絶対値｜（Ｃｗ１Ｌ−Ｃｗ０Ｌ）−（Ｃｗ１Ｇ−Ｃｗ０Ｇ）｜が１．５ｄＢ以下であることを特徴とする。
【０００７】
｜（Ｃｗ１Ｌ−Ｃｗ０Ｌ）−（Ｃｗ１Ｇ−Ｃｗ０Ｇ）｜の範囲を限定することで、ウォブル信号に対するデータ信号の混入を低減する。光の位相差を測るのは必ずしも容易ではないので、反射光を周波数分析する等で比較的容易に検出可能なパラメータを評価パラメータとして用いる。
【０００８】
Ｃ．上記目的を達成するために、本発明に係る光ディスク評価方法は、光照射による加熱により結晶からアモルファスへと相転移する光学材料からなる記録層を有するランドとグルーブとを含み、かつこのランドとグルーブの境界の位置が所定の空間周期で振動する光ディスク評価方法であって、情報記録前の回転する光ディスクのランドに光を照射して、ランドからの反射光の前記振動成分Ｃｗ０Ｌを測定する第１の測定ステップと、前記情報記録前の回転する光ディスクのグルーブに光を照射して、グルーブからの反射光の前記振動成分Ｃｗ０Ｇを測定する第２の測定ステップと、前記光ディスクに情報を記録するステップと、情報記録後の回転する光ディスクのランドに光を照射して、ランドからの反射光の前記振動成分Ｃｗ１Ｌを測定する第３の測定ステップと、前記情報記録後の回転する光ディスクのグルーブに光を照射して、グルーブからの反射光の前記振動成分Ｃｗ１Ｇを測定する第４の測定ステップと、情報の記録前後での前記ランドからの反射光の振動成分の差（Ｃｗ１Ｌ−Ｃｗ０Ｌ）と、情報の記録前後での前記グルーブからの反射光の振動成分の差（Ｃｗ１Ｇ−Ｃｗ０Ｇ）の相違（（Ｃｗ１Ｌ−Ｃｗ０Ｌ）−（Ｃｗ１Ｇ−Ｃｗ０Ｇ））を算出するステップと、を具備することを特徴とする。
【０００９】
本光ディスク評価方法では、反射光の振動成分から容易に算出できるパラメータを用いているので、光ディスクを容易に評価できる。
【００１０】
ここで、前記第１〜第４の測定ステップそれぞれが、光ディスクからの反射光に基づく信号を２逓倍する信号逓倍ステップを有してもよい。ランドとグルーブの境界の振動に変調（ウォブル変調）が係っていた場合にも振動成分の抽出を容易に行える。
【００１１】
Ｃ．上記目的を達成するために、本発明に係る光ディスク評価装置は、光照射による加熱により結晶からアモルファスへと相転移する光学材料からなる記録層を有するランドとグルーブとを含み、かつこのランドとグルーブの境界の位置が所定の空間周期で振動する光ディスクを評価する光ディスク評価装置であって、前記光ディスクを回転させる回転機構と、前記光ディスクに情報を記録する記録用光源と、前記光ディスクを再生する再生用光源と、前記再生用光源から出射される光をランド内、グルーブ内のトラックに沿って移動させる光移動手段と、前記再生用光源から出射し前記光ディスクの記録層から反射された反射光を受光する受光素子と、前記受光素子から出力される信号を周波数分析して前記振動の成分を抽出する振動成分抽出部と、情報の記録前後での前記ランドからの反射光の振動成分の差（Ｃｗ１Ｌ−Ｃｗ０Ｌ）と、情報の記録前後での前記グルーブからの反射光の振動成分の差（Ｃｗ１Ｇ−Ｃｗ０Ｇ）の相違（（Ｃｗ１Ｌ−Ｃｗ０Ｌ）−（Ｃｗ１Ｇ−Ｃｗ０Ｇ））を算出する算出部と、を具備することを特徴とする。
【００１２】
本光ディスク評価装置では、反射光の振動成分から容易に算出できるパラメータを用いているので、光ディスクを容易に評価できる。
【００１３】
ここで、光ディスク評価装置が、前記受光素子から出力される信号を２逓倍する信号逓倍部をさらに具備してもよい。ランドとグルーブの境界の振動に変調（ウォブル変調）が係っていた場合にも振動成分の抽出を容易に行える。
【発明の効果】
【００１４】
本発明によれば記録された信号からウォブル信号への漏れ込みを抑え、ウォブル信号の正確な読み出しを可能とする光ディスク、光ディスク評価方法、および光ディスク評価装置を提供できる。
【発明を実施するための最良の形態】
【００１５】
以下、図面を参照して、本発明の実施の形態を詳細に説明する。
（第１の実施の形態）
Ａ．光ディスク装置の構成
まず、光ディスク装置につき説明する。
図1は、光ディスク装置１０の基本構成を表すブロック図である。
光ディスク装置１０は、コントローラ１１、光ピックアップヘッドPUH、フォトディテクターPD、プリアンプ１２、サーボ回路１３、半導体レーザ駆動回路ＬＤＤ、記録信号処理回路１４、ＲＦ信号処理回路１５、アドレス信号処理回路１６を有する。
光ピックアップヘッドPUHは、レーザ光を出射する半導体レーザおよび半導体レーザから出射されるレーザ光の照射位置を制御するアクチュエータを有する。この半導体レーザは、必要に応じて記録用、再生用の２つを有しても良いし、記録／再生兼用であってもよい。
光ピックアップヘッドPUHの半導体レーザから出射されるレーザー光を図示しない回転機構によって回転される光ディスクの情報記録層に集光することで、光ディスクへの情報の記録再生が行われる。光ディスクの再生時に光ディスクの記録面で反射された光は、光ピックアップヘッドPUHの光学系を再び通過し、フォトディテクター（光検出器）PDで検出用の電気信号に変換される。
【００１６】
光検出器PDは、受光領域が2つ以上に分割され、各分割領域に対応して信号が出力される。ここで、分割された素子から出力される各信号を加算した信号を和信号、減算した信号を差信号と呼ぶ。ユーザー情報等の高周波情報が付加された和信号をRF信号と呼ぶ。また、光ディスクの光学的な半径(ラジアル)方向に配置された各素子からの信号を減算した信号をラジアルプッシュプル信号と呼ぶ。
図2は、４分割された受光器PDの例を示すブロック図である。4つの素子Ａ，Ｂ，Ｃ，Ｄすべてを加算した信号が和信号であり、演算素子２３から出力される。
2つの素子Ａ，Ｂ、2つの素子Ｃ，Ｄからの信号をそれぞれ演算素子２１，２２で加算した後に、加算した信号同士を減算した結果が差信号であり、演算素子２４から出力される。この差信号が、径方向での信号出力の相違を表すいわゆるラジアルプッシュプル信号である。
【００１７】
光検出器PDからの検出用電気信号は、プリアンプ１２で増幅され、サーボ回路１３、ＲＦ信号処理回路１５、アドレス信号処理回路１６に出力される。
サーボ回路１３では、フォーカス、トラッキング、チルト等のサーボ信号が生成され、各信号がそれぞれ、光ピックアップヘッドPUHのフォーカス、トラッキング、チルトアクチュエータに出力される。
【００１８】
ＲＦ信号処理回路１５では、検出された信号のうち、主に和信号を処理することにより、記録されたユーザー情報等の情報を再生する。この際の復調方法としては、スライス方式やPRML方式がある。
アドレス信号処理回路１６では、検出された信号を処理することにより、光ディスク上の記録位置を示す、物理アドレス情報を読み出し、コントローラ１１に出力する。コントローラ１１はこのアドレス情報を元に、所望の位置のユーザー情報等の情報を読み出したり、所望の位置にユーザー情報等の情報を記録したりする。この際、ユーザー情報は記録信号処理回路１４で光ディスク記録に適した信号に変調される。例えば(1,10)RLL,(2,10)RLL等の変調法則が適用される。
【００１９】
Ｂ．光ディスク
（１）光ディスクの構造
図３は、光ディスクの構成を表す模式図である。
光ディスクは、透明基板上の情報記録層のデータ記録領域ＭＡ（情報記録エリア）内に、トラックＴを有し、情報の記録再生はこのトラックＴに沿って行われる。図3のトラックＴは、光ディスクの内側から外側まで連続してつながるスパイラル型である。トラックＴには、この他に、複数の同心円から形成される同心円型がある。
図４は、光ディスクＤのトラックＴを拡大した拡大図である。図４に示されるように、トラックＴは情報記録層の凹凸（案内溝）によって形成されている。この凹側をグルーブＧ、凸側をランドＬという。図4では、ランドＬとグルーブＧの両方に情報を記録マークとして形成するランドグルーブ方式の光ディスクが表されている。
【００２０】
（２）光ディスクへの記録信号
光ディスクの情報記録層には、追記、書き換えのできるものとして、熱記録型の情報記録媒体が用いられる。熱記録型の情報記録媒体は、情報記媒体を加熱・冷却することで情報を記録するものであり、代表的なものとして相変化媒体が知られている。
相変化媒体では、媒体の相の違い（例えば、アモルファスと結晶の違い）による物理的性質の差（例えば反射率差）を利用して情報を記録する。相変化媒体を利用した光ディスク装置１０では、例えば、初期化によって媒体全面を結晶化しておき、そこに強度の強いパルス状のレーザー光を照射することでアモルファスの記録マークを形成する。強いレーザー光により媒体が溶融し、その後レーザー光の照射が弱まることで媒体が急冷し、アモルファス化することで記録マークが形成される。情報の再生時には、媒体に一定レベルの弱いレーザー光を照射し、記録マークであるアモルファス部と結晶部による絶対反射率(以下「反射率」という)の変化や複素反射率の位相(以下「位相」という)の変化を電気信号に変換して読み出す。
アモルファス部と結晶部の反射率や位相の変化量は情報記録層に用いる情報記録媒体の材料の種類、層構成や組成によって調整をすることが可能である。
【００２１】
Ｃ．ウォブル信号
（１）ウォブル信号とプッシュプルの関係
図５は、光ディスクのトラックＴを上から見た状態を再生信号と対比して表す図である。図５(Ａ）に示されるように、光ディスクのトラックＴは、ラジアル方向にわずかに蛇行している。このようなトラックＴをウォブルトラックＷＴと呼ぶ。
このウォブルトラックＷＴに沿って、集光されたビームスポットＢＳを走査する場合、ウォブルの周波数はトラッキングサーボ信号の帯域に比べて高いため、ビームスポットはウォブルトラックＷＴの中心をほぼ直進することになる。このときには、和信号はほとんど変化せず（図５（Ｂ）参照）、半径方向の差信号すなわちラジアルプッシュプル信号のみがウォブルにあわせて変化する（図５（Ｃ）参照）。これをウォブル信号と呼ぶ。ウォブル信号は、スピンドルの回転周波数の調整や、記録クロックのリファレンス、物理アドレス情報の記録等に利用される。
【００２２】
（２）ウォブル信号(基本波と変調成分)
光ディスクでは、このウォブル信号を変調することによって、光ディスクの情報記録領域における物理的な位置を示す物理アドレス情報等の情報を記録する。
すなわち、トラックＴに付与するウォブルを位相変調することによって、物理アドレス情報を記録する。
図６は、位相変調されていないウォブル信号、位相変調されたォブル信号を表す模式図である。(Ａ）は変調されていないウォブル信号を、（Ｂ）、（Ｃ）変調されたウォブル信号を表す。（Ｂ）はトラックＴ全体を変調したウォブル信号の例であり、（Ｃ）トラックＴの一部分に変調領域を設け、それ以外の部分を無変調領域とした例である。ここでは、隣り合わせた領域（第１，第２位相領域）に１８０度異なる位相が付与されている。
【００２３】
（３）ウォブル信号の周波数特性
図７は、変調されていない単一周波数のウォブル信号の周波数特性を示すグラフである。ウォブル信号はそのキャリア周波数ｆ０でピーク（最大強度）を有し、それ以外の部分はノイズ成分となっている。このキャリア周波数ｆ０でのピークの値は図５（Ｃ）に示したウォブル信号の振幅Ｗａに対応する。
一方、ウォブル信号の性能を評価する指標であるNBSNR(またはCNR)は図７に示すように、ピークの値とノイズレベルの値の差を求めることによって測定できる。ピークの値とノイズレベルの値がｄＢ（対数）で表されていることから、これらの差をとることは実質的にこれらの比をとることと対応する。即ち、NBSNRはウォブル信号についてのＳ／Ｎ（信号／ノイズ）比といえる。
NBSNRがあまり小さな値になるとウォブル信号を復調することが難しくなる。これは、ノイズレベルが上昇しても、ピークの値が低下しても同じである。
【００２４】
（４）ウォブル信号振幅の変化要因
光ピックアップヘッドPUHから電気信号として読み出されるウォブル信号の振幅ＷａはグルーブＧのウォブル振幅Ｗだけでなく、グルーブＧの深さや、グルーブＧの明るさ（光の反射率）といったいくつかの要因によって変化する。
以下に、ウォブル信号の振幅Ｗａと各要因の関係を説明する。ここで、本実施例で用いる光ディスクと光ディスク装置１０は、光ディスクの基板厚みが片側0.6mm、トラックピッチが0.68μｍ、ランドグルーブ記録、光ディスク装置１０の対物レンズはNAが0.65、レーザー光の波長λが405nmである。但し、これ以外の条件においても以下とほぼ同様の結果を得ることができる。
【００２５】
図８は、光ディスクＤのグルーブＧのウォブル振幅Ｗとウォブル信号振幅Ｗａの関係を示すグラフである。図８から判るように、グルーブＧのウォブル振幅Ｗに対してほぼ直線的にウォブル信号の振幅Ｗａが増加する。この関係は、トラックピッチに対してグルーブＧの振幅が十分に小さい場合に、一般的に成り立つ。
【００２６】
図９は、光ディスクＤの反射率Ｒとウォブル信号振幅Ｗａの関係を示すグラフである。図９から判るように、光ディスクの反射率Ｒに対してほぼ直線的にウォブル信号の振幅Ｗａが増加する。例えば、信号の記録によってトラックＴを構成する記録層の結晶/非結晶状態が変化し、反射率Rが変わった場合にウォブル信号の振幅Ｗａが変化する。
【００２７】
図１０は、光ディスクＤのグルーブＧの深さｄとウォブル信号の振幅Ｗａの関係を示すグラフである。図１０から判るように、グルーブＧの深さｄ（ランドＬとグルーブＧの段差）に対応してウォブル信号の振幅Ｗａが周期的に変化する。そして、グルーブＧの深さｄがλ/8に近づくとウォブル信号の振幅Ｗａが増加し、グルーブＧの深さｄがλ/4に近づくとウォブル信号の振幅が低下する。なお、λは再生光の波長である。
グルーブＧの深さではなく、情報記録層から反射される光の位相が変化した場合でもウォブル信号の振幅が変化する。位相の差は、光学的に見れば深さｄの変化と同様の意味を持つからである。情報記録層からの反射光の位相の変化は、例えば信号を記録することでトラックＴの結晶/非結晶状態が変化た場合に生じる。例えば、レーザーの波長λが405nmである場合、位相αdegの変化は以下の式（１）によって深さｄの変化Δｄに換算することができる。
Δｄ  ＝  α/360  ×  405  /2                      ……式(1)
【００２８】
（５）ウォブル信号への記録信号の漏れ込み
図１１は、信号を記録する前のグルーブＧとウォブル信号を表す図である。(Ａ１)、(Ａ２）はそれぞれ、光ディスクのグルーブＧ、およびランドＬの断面状態を表す斜視図である。（Ｂ１）、（Ｂ２）はそれぞれ、グルーブＧ、およびランドＬからの反射光によるウォブル信号の時間的変化を表すグラフである。
ここではグルーブＧの深さｄを、一般に隣接トラックからの漏れ込みが最も小さくなるとされるλ/6に設定している（既述のように、光学的な特性からウォブル信号の振幅はλ/8で最大、λ/4で最小となる）。
【００２９】
図１２は、ユーザーデータ等の信号を記録した後のグルーブＧとウォブル信号を表す図である。(Ａ１)、(Ａ２）はそれぞれ、光ディスクのグルーブＧ、およびランドＬの断面状態を表す斜視図である。（Ｂ１）、（Ｂ２）はそれぞれ、グルーブＧ、およびランドＬからの反射光によるウォブル信号の時間的変化を表すグラフである。
光ディスクＤに信号を記録した場合には、記録信号成分がウォブル信号に漏れ込む。このため、（Ｂ１）、（Ｂ２）に見られるように、ウォブル信号のノイズ成分が増加する。
【００３０】
ここでは、記録マーク（非結晶）からの反射光が非記録マーク（結晶）からの反射光よりも位相が進んでいると仮定する。このことから、グルーブＧ、ランドＬそれぞれの再生時でのウォブル信号の強度が異なってくる。
即ち、グルーブＧの再生ではグルーブＧの高さが見かけ上高くなりλ/4に近づくので、ウォブル信号の振幅Ｗａは小さくなり、ウォブル信号の性能（Ｓ／Ｎ比）は低下する。また、ランドＬの再生ではランドＬの深さが見かけ上浅くなりλ/8に近づくので、ウォブル信号の振幅Ｗａは大きくなり、ウォブル信号の性能（Ｓ／Ｎ比）は向上する。
また、グルーブＧとこれに隣接するランドＬの双方に信号を記録し、グルーブＧに記録した信号を再生した場合には、ランドＬからの記録信号の漏れ込みのために、グルーブＧからのウォブル信号の性能（Ｓ／Ｎ比）はさらに低下する。
【００３１】
上記の仮定とは逆に、非記録マーク（結晶）からの反射光が記録マーク（非結晶）からの反射光よりも位相が進んでいる場合には、グルーブＧからのウォブル信号の性能（Ｓ／Ｎ比）が向上し、ランドＬからのウォブルの性能（Ｓ／Ｎ比）が低下する。
【００３２】
図１３は、ユーザーデータ等の信号を記録した後のグルーブＧとウォブル信号を表す図である。(Ａ１)、(Ａ２）はそれぞれ、光ディスクのグルーブＧ、およびランドＬの断面状態を表す斜視図である。（Ｂ１）、（Ｂ２）はそれぞれ、グルーブＧ、およびランドＬからの反射光によるウォブル信号の時間的変化を表すグラフである。
ここで、記録マーク（非結晶）で反射される光が非記録マーク部（結晶）で反射される光よりも強度が大きく（反射率Ｒが大きく）、位相は等しいと仮定する。
この光ディスクに信号を記録すると記録信号成分がウォブル信号に漏れ込む。しかし、記録マーク（非結晶）と非記録マーク部（結晶）それぞれからの反射光の位相が等しいことから、見かけ上のグルーブＧの深さｄには変化がない。このため、グルーブＧ、ランドＬいずれでもウォブル信号の振幅Ｗａは反射率Ｒの増加分だけ大きくなる。即ち、どちらのトラックＴでもウォブル性能が著しく低下することはない。
また、グルーブＧとこれに隣接するランドＬの双方に信号を記録し、グルーブＧに記録した信号を再生した場合にも、グルーブＧ深さは常にλ/6に保たれるので、ランドＬからの漏れ込みが最小限に抑えられ、グルーブＧからのウォブル信号の性能（Ｓ／Ｎ比）の低下が抑えられる。
【００３３】
図１４は、信号記録後のウォブル信号のNBSNRと、記録媒体の結晶と非結晶での反射光の位相差の関係を表すグラフである。
図１４には、NBSNRが25dBの基準線が引かれている。これは、ウォブル信号のNBSNRが25dB以上で、ウォブル信号からのアドレス情報等の情報の取り出しが可能であることがわれわれの実験から判明したことに基づく。図１４から、25dBのNBSNRが約15degの位相差に対応していることが判る。
従って、光ディスクは、信号の記録によるウォブル信号の性能劣化を抑えるために、結晶と非結晶の位相の差が15deg以内とすることが好ましいことが判る。結晶と非結晶の位相からの反射光の位相差が15deg以内であれば、信号を記録した後も、ウォブル信号の性能が十分に高く、信頼性を保つことができる。
【００３４】
（６）ウォブル信号の周波数特性
次にウォブル信号の周波数特性について説明する。
図１５(Ａ），（Ｂ）はそれぞれ、図１２（Ｂ１）、（Ｂ２）のウォブル信号の周波数特性を示すグラフである。ウォブル信号はウォブル周波数でピークを有するが、このピークの値がウォブル信号の振幅に対応する。ここで、グルーブＧへの記録前のピーク値をCw0G、記録後のピークをCw1G、ランドＬへの記録前のピーク値をCw0L、記録後のピークをCw1Lとする。
図１５から判るように、グルーブＧでは信号の記録によってピークが下がるが（図１５(Ａ））、ランドＬではピークが上がる（図１５（Ｂ））。即ち、グルーブＧへの信号の記録後に、グルーブＧからのウォブル信号のNBSNRが低下する。
【００３５】
また、図１６(Ａ），（Ｂ）はそれぞれ、図１３（Ｂ１）、（Ｂ２）のウォブル信号の周波数特性を示すグラフである。
図１６から判るように、グルーブＧ、ランドＬいずれのトラックＴでも信号の記録によってピーク値は若干上がっている。この結果、グルーブＧ、ランドＬいずれのトラックＴにおいても、信号記録後も十分に高いNBSNRを得ることができる。
【００３６】
図１５から判るように、媒体の結晶と非結晶の反射率の間に位相差があると、信号を記録したことによるウォブル信号振幅Ｗａの変化がランドＬとグルーブＧとで異なってくる。ここで、以下の式(2)により、信号の記録によるウォブル信号振幅ＣｗのランドＬとグルーブＧの差γ（評価指標）を求めることができる。
γ  =  (Cw1L-Cw0L)-(Cw1G-Cw0G)              ……式（２）
ここで、Cw0L等は以下の意味である。
Cw0L：信号記録前のランドトラックＬＴからのウォブル信号のピーク値[dBm]
Cw1L：信号記録後のランドトラックＬＴからのウォブル信号のピーク値[dBm]
Cw0G：信号記録前のグルーブトラックＧＴからのウォブル信号のピーク値[dBm]
Cw1G：信号記録後のグルーブトラックＧＴからのウォブル信号のピーク値[dBm]
γが0の場合、媒体の結晶と非結晶からの反射光の間に位相差がないことを意味し、γが大きい場合には媒体の結晶と非結晶からの反射光の間に位相差が大きいことを意味する。
【００３７】
光ディスクは以下の式（３）を満たすことが好ましい。
-1.5[dB] ＜ (Cw1L-Cw0L) − (Cw1G-Cw0G) ＜ 1.5[dB]    ……式(３)
式(３)は、光ディスクへの信号の記録によるウォブル信号の振幅ＣｗのランドＬとグルーブＧの差の絶対値が1.5[dB]と小さいことを示す。これは、媒体の非結晶領域と結晶領域の複素反射率の位相差が15deg以下である場合に成立し、信号の記録後もウォブルNBSNRは25dB以上に保たれる。このため、式（３）を満たす光ディスクは、記録信号からの漏れ込みが小さく、信号の記録後も安定してウォブル信号から情報を読み出すことが可能となる。
図１７は、式（２）のγとウォブル信号のNBSNRの関係を表すグラフである。
図１７には、図１４と同様、NBSNRが25dBの基準線が引かれている。図１７から、25dBのNBSNRが±１．５のγに対応していることが判る。
γが±１．５以内であれば、信号を記録した後も、ウォブル信号の性能が十分に高く、信頼性を保つことができる。
【００３８】
なお、式（３）よりも光ディスクのウォブル信号の振幅Ｃｗの範囲を広げることも可能であり、例えば、振幅Ｃｗの差に式（４）を適用しても良い。
-2.0[dB] ＜ (Cw1L-Cw0L) − (Cw1G-Cw0G) ＜ 2.0 [dB]    ……式(４)
例えば、使用する光ピックアップヘッドPUHを限定するか（光検出性能の良好なものを用いるか）、ウォブルの振幅Ｗを増やすことで、振幅Ｃｗの差が式（４）で表される光ディスクを用いてウォブル信号を検出できる。
【００３９】
（光ディスクの評価方法）
次に光ディスクの評価方法について説明する。
図１８は、光ディスクの評価手順の一例を表すフローチャートである。
（１）信号の記録がされていないランドトラックＬＴを再生して（ＳＴ１）、ウォブル信号振幅Cw0L、もしくはそれに準ずる値を測定する（ＳＴ２）。
（２）再生しているランドトラックＬＴに信号の記録を行い(ＳＴ３）、信号の記録されたランドトラックＬＴのウォブル信号振幅Cw1L、もしくはそれに準ずる値を測定する（ＳＴ４）。
【００４０】
（３）光ピックアップヘッドＰＵＨをランドＬからグルーブＧに移動し(ＳＴ５）、信号の記録がされていないトラックＴのグルーブＧのウォブル信号振幅Cw0G、もしくはそれに準ずる値を測定する（ＳＴ６）。
【００４１】
（４）再生しているグルーブトラックＧＴに信号の記録を行い（ＳＴ７）、信号の記録されたグルーブトラックＧＴのウォブル信号振幅Cw1G、もしくはそれに準ずる値を測定する（ＳＴ８）。
【００４２】
（５）式(2)に測定値を入力し、振幅差を算出する（ＳＴ９）。この値が、-1.5dB以上、1.5dB以下であれば、合格、それ以外であれば不合格とする（ＳＴ１０）。
【００４３】
以上から判るように、光ディスクの評価にウォブル信号振幅値Ｗａまたはこれに「準ずる値」を用いることができる。即ち、図１２，１３に表されるウォブル信号振幅値Ｗａそのもの、および図１５，１６に表される周波数特性のピーク値Ｃｗのいずれでも光ディスクの評価に用いることができる。
上記のウォブル信号評価方法では媒体の位相を直接測らなくても、トラックＴ2箇所（ランドＬ、グルーブＧ）で信号を記録するだけで、光ディスクでの位相の状態を知ることができ、評価が容易、かつその精度が高い。このように、この判定方法を用いれば、記録信号のウォブルへの漏れ込みの少ない光ディスクを比較的簡単に選別できる。
【００４４】
（光ディスク評価装置）
次に光ディスク評価装置について説明する。
図1９は、本発明の第１の実施形態に係る光ディスク評価装置１０ａの構成を表すブロック図である。
光ディスク評価装置１０ａは、コントローラ１１、光ピックアップヘッドPUH、フォトディテクターPD、プリアンプ１２、サーボ回路１３、半導体レーザ駆動回路ＬＤＤ、記録信号処理回路１４、ＲＦ信号処理回路１５、アドレス信号処理回路１６、ラジアルプッシュプル信号振幅測定回路１７、評価用データ発生回路１８を有する。
光ディスク評価装置１０ａは、光ディスク装置１０にラジアルプッシュプル信号振幅測定回路１７、評価用データ発生回路１８を付加して構成される。
【００４５】
ラジアルプッシュプル信号振幅測定回路１７は、フォトディテクターPDで検出され、プリアンプ１２で増幅された信号のラジアルプッシュプル信号振幅Ｗａを測定する。なお、ラジアルプッシュプル信号振幅測定回路１７に換えて、ラジアルプッシュプル信号周波数特性測定回路を用いて周波数分析を行いそのピーク値Ｃｗを測定することも可能である。
【００４６】
評価用データ発生回路１８は、評価用信号の記録のために、評価用の信号として記録するデータを発生させる。評価用データ発生回路１８は、例えば、データを直接保存するメモリや、ランダムなデータを発生させる乱数発生器により構成できる。
光ディスク評価装置１０ａでは、未記録のトラックＴに対し、再生を行い、その再生信号の振幅情報をラジアルプッシュプル信号振幅測定回路１７（もしくはラジアルプッシュプル信号周波数特性測定回路）を用いて測定する。
さらに、評価用データ発生回路１８で生成された評価用データを同トラックＴに記録する。次にそのトラックＴの再生を行い、その再生信号の振幅情報をラジアルプッシュプル信号振幅測定回路１７（もしくはラジアルプッシュプル信号周波数特性測定回路）を用いて測定する。最終的にコントローラ１１に含まれる評価手段で式(２)のγ値を計算し、光ディスクの評価を行う。
【００４７】
（実施例）
図２０は、本発明の実施例の一つである相対反射率の位相差が15d [deg]以下の光ディスク媒体D０の層構成例を示す断面図である。光ディスク媒体D０は基板(カバー層)であるポリカーボネイト(PC)と反射膜であるAg合金、記録層であるGeSbTeと、各種保護層によって構成されている。
図２０の光ディスク媒体D０の層構成では、結晶の複素反射率は-0.26988-i0.20006、非結晶の複素反射率は-0.37330-i・0.19520となる。従って、結晶の絶対反射率は11.29%、非結晶の絶対反射率は17.74%となる。また、結晶の位相は217[deg]、非結晶の位相は208[deg]、両者の位相差は9[deg]となる。ここで、光ディスク媒体D０を光ディスク装置にかけると、ウォブル信号のS/Nは信号を記録しない場合、ランド、グルーブとも37.8dB、自己トラックと隣接トラックに信号を記録した後はランドが26.5dB、グルーブが26.0dBとなり、ランド、グルーブトラックとも安定的にウォブル信号を読み出すことが可能となる。
【００４８】
図２１は、図２０に示した光ディスク媒体D０の評価結果を表す表である。
即ち、図２１の表は、光ディスク媒体D０を本発明の実施例の一つである評価装置にかけた際のγと各Cwの値を示す。光ディスク媒体D０のγは1.1[dB]となる。これは絶対値で1.5[dB]を下回っており、式(3)に当てはめると、光ディスク媒体Bのウォブル信号の安定的なウォブル信号の読み出しが可能なことが判定できる。
【００４９】
図２２は、本発明の比較例である相対反射率の位相差が15d [deg]を超えている光ディスク媒体Dｘの層構成例を示す断面図である。
光ディスク媒体Aの層構成では、結晶の複素反射率は-0.27529-i0.20912、非結晶の複素反射率は-0.43662-i0.12907となる。従って、結晶の絶対反射率は11.95%、非結晶の絶対反射率は20.73%となる。また、結晶の位相は217[deg]、非結晶の位相は196[deg]、両者の位相差は21[deg]となる。ここで、光ディスク媒体Dｘを光ディスク装置にかけると、ウォブル信号のS/Nは信号を記録しない場合、ランド、グルーブとも37.8dB、自己トラックと隣接トラックに信号を記録した後はランドが29.5dB、グルーブが18.5dBとなり、グルーブトラックでは、安定的にウォブル信号を読み出すことが不可能となる。
【００５０】
図２３は、図２２に示した光ディスク媒体Dｘの評価結果を表す表である。
即ち、図２３の表は、光ディスク媒体Dｘを本発明の実施例の一つである評価装置にかけた際のγと各Cwの値を示す。光ディスク媒体Dｘのγの絶対値は2.5[dB]となる。これは1.5[dB]を超えており、式（３）に当てはめると、光ディスク媒体Aのウォブル信号の安定的なウォブル信号の読み出しが困難なことが判定できる。
【００５１】
図２２，２４を比較すると判るように、光ディスク媒体Ｄ０、Ｄｘでは、基本的な多層構造は変わらず、各層の厚さが微妙に異なる。即ち、層厚を変化させることで、複素反射率の位相差が絶対値で15d [deg]以内になるよう調節することができる。また、多層構造の基本的な構成や構成材料（屈折率ｎ）を変えることで、複素反射率の位相差を調節することも可能である。
なお、本実施例、比較例では光ディスク装置には、光源の波長が405nm、対物レンズのNAが0.65の装置をもちいた。また、光ディスク媒体D0及びDxのウォブル信号の振幅はトラッキングエラー信号振幅で正規化した場合、0.05(5%)である。光源の波長λや対物レンズのNA、ウォブル信号の振幅が変化しても式（２）に基づき光ディスクＤを評価することが出来る。
【００５２】
（第２の実施の形態）
次に、第２の実施形態として、ウォブル信号に位相変調がかかった場合の光ディスク及びその評価方法について説明を行う。ここで、位相変調とは、図6（Ｂ），（Ｃ）に示したように、領域に応じてウォブルの位相を変化させ、それを符号に割り当てることによって信号を記録する方式である。
【００５３】
図２４は、変調されていない単一周波数のウォブル信号の周波数特性を示すグラフであり、図７と対応する。周波数特性はウォブル信号のキャリア周波数ｆ０でピークを持ち、それ以外の部分はノイズ成分となっている。ウォブル信号の性能を評価する指標であるNBSNR(またはCNR)は図２４に示すように、ピークの値Ｃｗとノイズレベルの値の差を求めることによって測定できる。
図２５は、符号間の位相差が約180度の2値位相変調を施したウォブル（図６（Ｂ）参照）でのウォブル信号の周波数特性を示すグラフである。周波数特性はキャリア周波数付近で盛り上がるが、変調成分の影響によって、キャリア周波数の両脇にピークが発生し、またその周辺部も持ち上がっている。従って、図２４の場合のようにウォブルNBSNRの正確な値を求めることが困難である。
図２６は、変調領域と無変調領域が1：4の割合で存在する場合のウォブル（図６（Ｃ）参照）でのウォブル信号の周波数特性を示すグラフである。無変調領域が長く存在するため、周波数特性はキャリア周波数でピークを持つが、変調成分の影響でピーク値は低下し、また、周辺部も持ち上がっている。従って、この場合も図２４の場合のようにウォブルNBSNRの正確な値を求めることが困難である。
【００５４】
このような変調されたウォブル信号のNBSNRを測定するために、2逓倍NBSNRを使用することができる。この2逓倍NBSNRは、ウォブル信号を2逓倍した結果の周波数特性からウォブルキャリア周波数の2倍の周波数に出現するピーク値Ｃｗとノイズレベルの差を求めたものである。
ここでいう２逓倍とは、信号を2乗することを意味する。信号を2乗すると位相変調性分が消滅し、基本波の成分が2倍の周波数に現れる。
【００５５】
図２７、２８、２９は、図２４，２５，２６にそれぞれ対応し、変調されていない単一周波数のウォブル信号、位相差が約180度の2値位相変調を施したウォブル信号、部分的に変調を施した（変調領域と無変調領域が1：4の割合）ウォブル信号それぞれの２逓倍後の周波数特性を示す。
図２７〜２９では、全ての信号がピークを一つだけ持つ単純な周波数特性を有する。これは、ウォブル信号を２逓倍することによって、ウォブル信号のキャリア成分だけが抽出されたためである。従って、この２逓倍後の周波数特性におけるキャリア周波数の2倍の周波数に出現するピーク値Cw’を利用すれば、信号の記録によるウォブル信号振幅の変化量とそのランドＬとグルーブＧの差を求めることができる。
即ち、信号を２逓倍したことで位相変調による位相成分が消滅し、複数の位相が存在することに起因するサブピークが消滅することから、NBSNRを容易に求めることができる。
【００５６】
また、ウォブル信号の振幅をWaとした場合、無変調のウォブルの周波数特性のピーク値Cwは次の式（５）で表される。
Cw [dBm]=20×log(Wa/C)                            ……式(５)
2逓倍後はウォブル信号振幅がWaの2乗となるので、2逓倍後のウォブルの周波数特性のピーク値Cw’は次の式（６）で表される。
Cw’ [dBm] =20×log(Wa/C)２ 
=2×20×log(Wa/C) =2×Cw                ……式(６)
この関係から、2逓倍後のウォブル信号振幅Ｃｗの変化量とそのランドＬとグルーブＧでの差γ’は、以下の式（７）より算出できる。
γ’  =  (Cw’1L-Cw’0L)  −  (Cw’1G-Cw’0G)
＝  (2×Cw1-2×Cw0L)  −  (2×Cw1G-2×Cw0G)  ＝2×γ        ……式(７)
ここで、Cw’0L等は以下のように定義される。
Cw’0L：信号記録前のランドトラックＬＴでの2逓倍ウォブル信号のピーク値[dBm]
Cw’1L：信号記録後のランドトラックＬＴでの2逓倍ウォブル信号のピーク値[dBm]
Cw’0G：信号記録前のグルーブトラックＧＴでの2逓倍ウォブル信号のピーク値[dBm]
Cw’1G：信号記録後のグルーブトラックＧＴでの2逓倍ウォブル信号のピーク値[dBm]
【００５７】
光ディスクは以下の式（８）を満たすことが好ましい。
-3.0[dB]  ＜  (Cw’1L-Cw’0L)  −  (Cw’1G-Cw’0G)  ＜  3.0[dB]   ……式(８)
式(３)は、光ディスクの信号の記録による2逓倍ウォブル信号の振幅のランドＬとグルーブＧの差の絶対値が3.0[dB]と小さいことを示す。これは、2逓倍前のウォブル信号の振幅のランドＬとグルーブＧの差の絶対値が1.5[dB]と小さいことを意味する。この結果、信号の記録後もウォブルNBSNRは25dB以上に保たれる。このため、式（８）を満たす光ディスクは、記録信号からの漏れ込みが小さく、信号の記録後も安定してウォブル信号から情報を読み出すことが可能である。
【００５８】
（光ディスク評価装置）
次に光ディスク評価装置について説明を行う。
図３０は、本発明の第２の実施形態に係る光ディスク評価装置１０ｂの構成を表すブロック図である。
光ディスク評価装置１０ｂは、コントローラ１１、光ピックアップヘッドPUH、アクチュエータ、フォトディテクターPD、プリアンプ１２、サーボ回路１３、半導体レーザ駆動回路ＬＤＤ、記録信号処理回路１４、ＲＦ信号処理回路１５、アドレス信号処理回路１６、ラジアルプッシュプル信号振幅測定回路１７、評価用データ発生回路１８、２逓倍回路１９を有する。
光ディスク評価装置１０ｂは、光ディスク評価装置１０ａに２逓倍回路１９を付加して構成される。
【００５９】
図３１は、２逓倍回路１９の内部構成を表すブロック図である。図２７に示すように、２逓倍回路１９は、低ノイズ増幅器１９１，バンドパスフィルタ１９２，乗算回路１９３を有する。
バンドパスフィルタ１９２は、低ノイズ増幅器１９１で増幅されたラジアルプッシュプル信号から低周波ノイズおよび高周波ノイズを除去する。
乗算回路１９３は、バンドパスフィルタ１９２を通過したラジアルプッシュプル信号の振幅を２乗することで周波数を２倍にする。なお、振幅を変えることなく周波数のみを２倍にしても差し支えない。
【００６０】
フォトディテクターPDで検出された電気信号は、プリアンプ１２で増幅され、サーボ回路１３、ＲＦ信号処理回路１５、アドレス信号処理回路１６、2逓倍回路１９に出力される。また、2逓倍回路の出力はラジアルプッシュプル信号振幅測定回路１７、もしくはラジアルプッシュプル信号周波数特性測定回路に出力される。
【００６１】
本光ディスク評価装置１０ｂでは、未記録のトラックＴに対し、再生を行い、その再生信号の振幅情報をラジアルプッシュプル信号振幅測定回路１７、もしくはラジアルプッシュプル信号周波数特性測定回路を用いて測定する。さらに、評価用データ発生回路１８で生成された評価用データを同トラックＴに記録する。次にそのトラックＴの再生を行い、その再生信号の振幅情報をラジアルプッシュプル信号振幅測定回路１７、もしくはラジアルプッシュプル信号周波数特性測定回路を用いて測定する。最終的にコントローラ１１に含まれる評価手段で式(７)のγ’値を計算し、光ディスクの評価を行う。
【００６２】
（その他の実施形態）
本発明の実施形態は上記の実施形態に限られず拡張、変更可能であり、拡張、変更した実施形態も本発明の技術的範囲に含まれる。
【図面の簡単な説明】
【００６３】
【図１】光ディスク装置の基本構成を表すブロック図である。
【図２】４分割された受光器の例を示すブロック図である。
【図３】光ディスクの構成を表す模式図である。
【図４】光ディスクのトラックを拡大した拡大図である。
【図５】光ディスクのトラックを上から見た状態を再生信号と対比して表す図である。
【図６】位相変調されていないウォブル信号、位相変調されたォブル信号を表す模式図である。
【図７】変調されていない単一周波数のウォブル信号の周波数特性を示すグラフである。
【図８】光ディスクのグルーブのウォブル振幅とウォブル信号振幅の関係を示すグラフである。
【図９】光ディスクの反射率とウォブル信号振幅の関係を示すグラフである。
【図１０】光ディスクのグルーブの深さとウォブル信号の振幅の関係を示すグラフである。
【図１１】信号を記録する前のグルーブとウォブル信号を表す図である。
【図１２】ユーザーデータ等の信号を記録した後のグルーブとウォブル信号を表す図である。
【図１３】ユーザーデータ等の信号を記録した後のグルーブＧとウォブル信号を表す図である。
【図１４】信号記録後のウォブル信号のNBSNRと、媒体の結晶と非結晶での反射光の位相差の関係を表すグラフである。
【図１５】図１２のウォブル信号の周波数特性を示すグラフである。
【図１６】図１３のウォブル信号の周波数特性を示すグラフである。
【図１７】γとウォブル信号のNBSNRの関係を表すグラフである。
【図１８】光ディスクの評価手順の一例を表すフローチャートである。
【図１９】本発明に係る光ディスク評価装置の構成を表すブロック図である。
【図２０】本発明の実施例たる光ディスク媒体の層構成例を示す断面図である。
【図２１】図２０に示した光ディスク媒体の評価結果を表す表である。
【図２２】本発明の比較例たる光ディスク媒体の層構成例を示す断面図である。
【図２３】図２２に示した光ディスク媒体の評価結果を表す表である。
【図２４】変調されていない単一周波数のウォブル信号の周波数特性を示すグラフである。
【図２５】符号間の位相差が約180度の2値位相変調を施したウォブルでのウォブル信号の周波数特性を示すグラフである。
【図２６】変調領域と無変調領域が1：4の割合で存在する場合のウォブルでのウォブル信号の周波数特性を示すグラフである。
【図２７】変調されていない単一周波数のウォブル信号の周波数特性を示すグラフである。
【図２８】位相差が約180度の2値位相変調を施したウォブル信号の周波数特性を示すグラフである。
【図２９】部分的に変調を施したウォブル信号の周波数特性を示すグラフである。
【図３０】本発明に係る光ディスク評価装置の構成を表すブロック図である。
【図３１】２逓倍回路の内部構成を表すブロック図である。
【符号の説明】
【００６４】
１０…光ディスク装置、１０ａ，１０ｂ…光ディスク評価装置、１１…コントローラ、１２…プリアンプ、１３…サーボ回路、１４…記録信号処理回路、１５…信号処理回路、１６…アドレス信号処理回路、１７…ラジアルプッシュプル信号振幅測定回路、１８…評価用データ発生回路、１９…逓倍回路、PUH…光ピックアップヘッド、ＬＤＤ…半導体レーザ駆動回路、PD…フォトディテクター
【図１】
2005166114.tif 000003
【図２】
2005166114.tif 000004
【図３】
2005166114.tif 000005
【図４】
2005166114.tif 000006
【図５】
2005166114.tif 000007
【図６】
2005166114.tif 000008
【図７】
2005166114.tif 000009
【図８】
2005166114.tif 000010
【図９】
2005166114.tif 000011
【図１０】
2005166114.tif 000012
【図１１】
2005166114.tif 000013
【図１２】
2005166114.tif 000014
【図１３】
2005166114.tif 000015
【図１４】
2005166114.tif 000016
【図１５】
2005166114.tif 000017
【図１６】
2005166114.tif 000018
【図１７】
2005166114.tif 000019
【図１８】
2005166114.tif 000020
【図１９】
2005166114.tif 000021
【図２０】
2005166114.tif 000022
【図２１】
2005166114.tif 000023
【図２２】
2005166114.tif 000024
【図２３】
2005166114.tif 000025
【図２４】
2005166114.tif 000026
【図２５】
2005166114.tif 000027
【図２６】
2005166114.tif 000028
【図２７】
2005166114.tif 000029
【図２８】
2005166114.tif 000030
【図２９】
2005166114.tif 000031
【図３０】
2005166114.tif 000032
【図３１】
2005166114.tif 000033